(57)【要約】【課題】防水パン１２の所定位置に洗い場蓋１５を位置させつつ固定具１７，１８で固定できると共に、隅部に固定具１７，１８を簡単に差し込むことができるようにする。【解決手段】作業口１４を開設した洗い場床部１３の外周三辺に起立部１３ａ，１３ｂ，１３ｃを立設させると共に、隣接する起立部どうしを連結して内隅部１３ｄ（１３ｅ）を形成した防水パン１２と、洗い場床部１３を覆う洗い場蓋１５と、防水パン１２に洗い場蓋１５を固定する固定具１７，１８とを備え、固定具は、防水パン１２の内隅部１３ｄ（１３ｅ）と洗い場蓋１５の外隅部１５ｄ（１５ｅ）の間に差し込んだ屈曲状の隅部用固定具１７と、防水パン１２の起立部１３ａ（１３ｂ）と洗い場蓋１５の対応する側縁部１５ａ（１５ｂ）の間に差し込んだ直線状の直線部用固定具１８と備えている。【選択図】図１
2011052499.tif 000002
【特許請求の範囲】
【請求項１】
作業口を開設した洗い場床部の外周の浴槽側の辺を除く三辺に起立部を立設させると共に、隣接する起立部どうしを連結して内隅部を形成した防水パンと、洗い場床部を着脱可能に覆う洗い場蓋と、防水パンに洗い場蓋を固定する固定具とを備えた浴室ユニットの床構造であって、前記固定具は、防水パンの内隅部と洗い場蓋の対応する外隅部の間の隙間に差し込んだ屈曲状の隅部用固定具と、防水パンの起立部と洗い場蓋の対応する側縁部の間の隙間に差し込んだ直線状の直線部用固定具と備えていることを特徴とする浴室ユニットの床構造。
【請求項２】
防水パンの三辺の起立部と洗い場蓋の対応する三辺の側縁部の間の隙間に、隅部用及び直線部用の固定具を覆ってコーキング材を充填した請求項１記載の浴室ユニットの床構造。
【請求項３】
防水パンの上面及び洗い場蓋の裏面に、凹部と凸部を設け、凹部と凸部を嵌合させた請求項１又は２記載の浴室ユニットの床構造。
【請求項４】
作業口を開設した洗い場床部の外周の浴槽側の辺を除く三辺に起立部を立設する共に、隣接する起立部どうしを連結して内隅部を形成した防水パンに、洗い場床部を着脱可能に覆う洗い場蓋を固定具を用いて設置する浴室ユニットの床施工方法において、防水パンの二カ所の内隅部と洗い場蓋の対応する二カ所の外隅部の間の隙間の各々に屈曲状の隅部用固定具を差し込み、その後に、防水パンの浴槽側の辺と対向する一辺を除く他の二辺の起立部と洗い場蓋の対応する二辺の側縁部の間の隙間の各々に直線状の直線部用固定具を差し込むことを特徴とする浴室ユニットの床施工方法。
【発明の詳細な説明】
【技術分野】
【０００１】
本発明は、防水パンの洗い場床部に開設した作業口を洗い場蓋で覆うようにした浴室ユニットの床構造及び床施工方法に関するものである。
【背景技術】
【０００２】
従来、浴室ユニットの床構造には、図６に示す如く、作業口４を開設した洗い場床部３の外周部の三辺に壁パネル６及びドア（図示略）を設置した防水パン２と、作業口４を覆うように洗い場床部３に着脱可能に設置した洗い場蓋５と、壁パネル６と洗い場蓋５の端部の隙間８に水密的に差し込んだ固定具７からなる乾式目地とを備えたものがある（特許文献１）。
【先行技術文献】
【特許文献】
【０００３】
【特許文献１】特開２００１−２７９７５２号公報
【発明の概要】
【発明が解決しようとする課題】
【０００４】
従来の浴室ユニットの床構造１は、防水パン２に設置する壁パネル６の位置にズレが生じたとき、壁パネル６と洗い場蓋５の端部の隙間８が小さくなり過ぎて固定具７を差し込むことができなくなることがある。また、長尺の固定具７をその一端から連続的に差し込んでいくと、この差し込み作業中に生じる洗い場蓋５の移動により差し込み作業の後半となる箇所の隙間８が小さくなり過ぎて、固定具７を差し込むことが難しくなることがある。更に、隣接する壁パネル６どうしが交差する内隅部と洗い場蓋５の外隅部の間の屈曲した隙間に固定具７を曲げながら無理に差し込むには熟練と手間とを必要とする。
【０００５】
本発明は、上記問題を解決するたに、防水パン上の所定位置に洗い場蓋を位置させつつ固定具で固定できると共に、隅部に固定具を簡単に差し込むことができる浴室ユニットの床構造及び床施工方法の提供を目的とする。
【課題を解決するための手段】
【０００６】
防水パン上の所定位置に洗い場蓋を位置させつつ固定具で固定できると共に、隅部に固定具を簡単に差し込むことができるようにするために請求項１記載の本発明が採用した手段は、図１〜図４に示す如く、作業口１４を開設した洗い場床部１３の外周の浴槽側の辺を除く三辺に起立部１３ａ，１３ｂ，１３ｃを立設させると共に、隣接する起立部どうしを連結して内隅部１３ｄ，１３ｅを形成した防水パン１２と、洗い場床部１３を着脱可能に覆う洗い場蓋１５と、防水パン１２に洗い場蓋１５を固定する固定具とを備えた浴室ユニットの床構造であって、前記固定具は、防水パン１２の内隅部１３ｄ（１３ｅ）と洗い場蓋１５の対応する外隅部１５ｄ（１５ｅ）の間の隙間Ｇａに差し込んだ屈曲状の隅部用固定具１７と、防水パン１２の起立部１３ａ（１３ｂ）と洗い場蓋１５の対応する側縁部１５ａ（１５ｂ）の間の隙間Ｇｂに差し込んだ直線状の直線部用固定具１８と備えていることを特徴とする浴室ユニットの床構造である。
【０００７】
防水パンと洗い場蓋の間の止水を確実にするために請求項２記載の本発明が採用した手段は、図２（Ｂ）及び図３に示す如く、防水パン１２の三辺の起立部１３ａ，１３ｂ，１３ｃと洗い場蓋１５の対応する三辺の側縁部１５ａ，１５ｂ，１５ｃの間の隙間Ｇａ，Ｇｂに、隅部用及び直線部用の固定具１７，１８を覆ってコーキング材２７を充填した請求項１記載の浴室ユニットの床構造である。
【０００８】
固定具で固定する前における防水パンに対する洗い場蓋の暫定的な位置決めを容易にするために請求項３記載の本発明が採用した手段は、図５及び図６に示す如く、防水パン１２の上面及び洗い場蓋１５の裏面に、凹部３２と凸部３３を設け、凹部３２と凸部３３を嵌合させた請求項１又は２記載の浴室ユニットの床構造である。
【０００９】
防水パン上の所定位置に洗い場蓋を位置させつつ固定具で固定できると共に、隅部に固定具を美麗に差し込むことができるようにするために請求項４記載の本発明が採用した手段は、図１〜図４に示す如く、作業口１４を開設した洗い場床部１３の外周の浴槽側の辺を除く三辺に起立部１３ａ，１３ｂ，１３ｃを立設する共に、隣接する起立部どうしを連結して内隅部１３ｄ，１３ｅを形成した防水パン１２に、洗い場床部１３を着脱可能に覆う洗い場蓋１５を固定具を用いて設置する浴室ユニットの床施工方法において、防水パン１２の二カ所の内隅部１３ｄ，１３ｅと洗い場蓋１５の対応する二カ所の外隅部１５ｄ，１５ｅの間の隙間Ｇａ，Ｇａの各々に屈曲状の隅部用固定具１７を差し込み、その後に、防水パン１２の浴槽側の辺と対向する一辺を除く他の二辺の起立部１３ａ，１３ｂと洗い場蓋１５の対応する二辺の側縁部１５ａ，１５ｂの間の隙間Ｇｂ，Ｇｂの各々に直線状の直線部用固定具１８を差し込むことを特徴とする浴室ユニットの床施工方法である。
【００１０】
請求項４記載の本発明にあっては、固定具の差込みについて防水パンの二カ所の内隅部と洗い場蓋の対応する二カ所の外隅部の間の各々に対する屈曲状の隅部用固定具の差込みを先行させることで、防水パンの二カ所の内隅部の間の一辺に沿う方向及び他の二辺に沿う方向についての洗い場蓋の位置決めがなされて、防水パンの他の二辺の起立部と洗い場蓋の対応する二辺の側縁部の間の各々に所定大きさの直線状の隙間を形成するので、その後で直線部用固定具を直線状の隙間の各々へ円滑且つ確実に差し込むことができる。
【発明の効果】
【００１１】
請求項１記載の本発明に係る浴室ユニットの床構造は、固定具について先に差し込むことができる屈曲状の隅部用固定具と後で差し込むことができる直線状の直線部用固定具とに分割することで、防水パン上の所定位置に洗い場蓋を位置させつつ隅部用及び直線部用の固定具で固定できると共に、隅部に隅部用固定具を簡単に差し込むことができる。
【００１２】
請求項２記載の本発明に係る浴室ユニットの床構造は、防水パンと洗い場蓋の間の隙間を充填したコーキング材で確実に止水することができる。
【００１３】
請求項３記載の本発明に係る浴室ユニットの床構造は、固定具で固定する前に、防水パンの上面及び洗い場蓋の裏面に設けた凹部及び凸部を隙間バメ状態で嵌合させることで、防水パンに対する洗い場蓋の暫定的な位置決めを容易に行なうことができる。
【００１４】
請求項４記載の本発明に係る浴室ユニットの床施工方法は、先に屈曲状の隅部用固定具を差し込んみ、その後に直線状の直線部用固定具を差し込むこどて、防水パン上の所定位置に洗い場蓋を位置させつつ隅部用及び直線部用の固定具で固定できると共に、隅部に隅部用固定具を美麗に差し込むことができる。
【図面の簡単な説明】
【００１５】
【図１】本発明の第１の実施の形態を示すものであって、図（Ａ）はコーキング材を省略して全体を示す平面図、図（Ｂ）は図（Ａ）のｂ−ｂ線で断面した正面図、図（Ｃ）は直線部用固定具を示す斜視図、図（Ｄ）は隅部用固定具を示す斜視図である。
【図２】第１の実施の形態を示すものであって、図（Ａ）は図１（Ａ）のＩＩ線で囲まれた部分を拡大して洗い場蓋を部分的に破断すると共にコーキング材を省略して示す平面図、図（Ｂ）は図（Ａ）のｂ−ｂ線で断面した正面図である。
【図３】図１（Ａ）のＩＩＩ−ＩＩＩ線で断面して拡大した左側面図である。
【図４】第１の実施の形態を示すものであって、図（Ａ）は洗い場蓋を設置する前の防水パンを示す平面図、図（Ｂ）は設置前の洗い場蓋を示す平面図、図（Ｃ）は図（Ａ）のｃ線で囲まれた部分を拡大した平面図、図（Ｄ）は図（Ｃ）のｄ−ｄ線で断面した正面図である。
【図５】本発明の第２の実施の形態を示すものであって、図（Ａ）は洗い場蓋を設置する前の防水パンを示す平面図、図（Ｂ）は設置前の洗い場蓋を示す平面図、図（Ｃ）は図（Ａ）のｃ線で囲まれた部分を拡大した平面図、図（Ｄ）は図（Ｃ）のｄ−ｄ線で断面した正面図である。
【図６】第２の実施の形態を示すものであって、図（Ａ）は隅部用固定具を差し込んだ部分における洗い場蓋を部分的に破断すると共にコーキング材を省略して示す拡大した平面図、図（Ｂ）は図（Ａ）のｂ−ｂ線で断面した正面図である。
【図７】従来の浴室ユニットの床構造を示す断面した正面図である。
【発明を実施するための形態】
【００１６】
本発明に係る浴室ユニットの床構造及び床施工方法（以下、「本発明床構造」及び「本発明床施工方法」と言う。）を図面に示す実施形態に基づいて説明する。
【００１７】
（第１の実施の形態）
図１乃至図４は本発明床構造の第１の実施の形態を示すものであり、本発明床構造１１は、図１乃至図３に示す如く、洗い場床部１３に作業口１４を開設した浴室用防水パン１２と、洗い場床部１３の作業口１４を着脱可能に覆う洗い場蓋１５と、防水パン１２に洗い場蓋１５を固定する隅部用固定具１７及び直線部用固定具１８を備えている（本例は、、隅部用固定具１７及び直線部用固定具１８を各々二個備えている。）。防水パン１２は、図４（Ａ）に示す如く、左側の浴槽設置床部１９と右側の洗い場床部１３を連接させ、両床部１９，１３に排水口２１，２２を開設してある。
【００１８】
前記防水パン１２の洗い場床部１３は、図４（Ａ）（Ｃ）（Ｄ）に示す如く、繊維強化プラスチック（ＦＲＰ）等から成形され、外周の浴槽側（浴槽設置床部１９側）の辺を除く前後右の三辺に起立部１３ａ，１３ｂ，１３ｃを立設させると共に、隣接する起立部どうし（１３ａと１３ｃ、１３ｂと１３ｃ）を連結して内隅部１３ｄ，１３ｅを形成し、作業口１４を開設した床面部１３ｆにおける前後右の三辺の側縁部１３ｆ−１と三辺の起立部１３ａ，１３ｂ，１３ｃとの間に排水溝１３ｇ，１３ｇ，１３ｇを設け、連接した排水溝１３ｇ，１３ｇ，１３ｇに排水勾配を設けて浴槽設置床部１９へ向かって排水できるようにしてある。また、洗い場床部１３は、浴槽設置床部１９との境界側に隆起部１３ｈを突設すると共に、三辺の起立部１３ａ，１３ｂ，１３ｃの各々から外側へ壁パネル載置部１３ｊを延設してある。隆起部１３ｈは、浴槽（図示略）の荷重を受ける支持箇所となったり、浴槽設置床部１９と洗い場床部１３の間に配置するエプロンの支持箇所となったりするものである。
【００１９】
前記洗い場蓋１５は、図４（Ｂ）、図１〜図３に示す如く、繊維強化プラスチック（ＦＲＰ）等から成形され、平面的に広がる覆い部１５ｆの外周の前後右の三辺に側縁部１５ａ，１５ｂ，１５ｃを下方へ突設させると共に、隣接する側縁部どうし（１５ａと１５ｃ、１５ｂと１５ｃ）を連結して外隅部１５ｄ，１５ｅを形成しある。また、洗い場蓋１５は、覆い部１５ｆの外周の左の一辺の前後中間位置に、排水口２２を回避するための横向き凹部１５ｊを形成すると共に、横向き凹部１５ｊの前後右の三辺の縁部に沿って側縁部１５ｈを平面コ字状に下方へ突設してある。側縁部１５ｈは、洗い場床部１３に洗い場蓋１５を載置したときに、洗い場床部１３の床面部１３ｆ上に支持されるようになっている。更に、洗い場蓋１５は、覆い部１５ｆの外周の左の一辺の前後側に、下端開口した隆起部１５ｇ，１５ｇを突設し、洗い場床部１３の隆起部１３ｈ，１３ｈを上方から覆うようにしてある。
【００２０】
前記隅部用固定具１７及び直線部用固定具１８は、図１（Ｃ）（Ｄ）及び図２に示す如く、合成樹脂素材等から成形され、洗い場床部１３の床面部１３ｆにおける前後右の三辺の側縁部１３ｆ−１と載置された洗い場蓋１５の覆い部１５ｆにおける前後右の三辺の側縁部１５ａ（１５ｂ，１５ｃ）との重なり合う箇所（図２（Ｂ）参照）に係合する凹部１７ａ，１８ａを設けて抜け難くすると共に、下端側に傾斜面１７ｂ，１８ｂを設けてある。傾斜面１７ｂ，１８ｂは、洗い場蓋１５の覆い部１５ｆの側縁部１５ａ（又は１５ｂ，１５ｃ）と洗い場床部１３の起立部１３ａ（又は１３ｂ，１３ｃ）との間に形成される隙間Ｇａ，Ｇｂへの差し込みし易くしてある。なお、両方の固定具１７，１８は、凹部１７ａ，１８ａを設けることなく、洗い場床部１３の排水溝１３ｇの底部まで差し込めるように形成することも可能である。
【００２１】
前記隅部用固定具１７は、平面略Ｌ字状に形成され、直線部用固定具１８は、平面略Ｉ字状に形成されている。隅部用固定具１７は、防水パン２の洗い場床部１３の二カ所の内隅部１３ｄ，１３ｅと洗い場蓋１５の対応する二カ所の外隅部１５ｄ，１５ｅの間の隅部隙間Ｇａに差し込まれる。また、直線部用固定具１８は、防水パンの浴槽側（浴槽設置床部１９側）の左の辺と対向する右の一辺（すなわち、二カ所の内隅部１３ｄ，１３ｅの間の右の一辺）を除く前後の他の二辺の起立部１３ａ，１３ｂと洗い場蓋１５の対応する二辺の側縁部１５ａ，１５ｂの間の平部隙間Ｇｂの各々に差し込まれる。隅部用固定具１７を差し込む隅部隙間Ｇａ及び直線部用固定具１８を差し込む平部隙間Ｇｂの各厚み寸法Ｔ２は、５ｍｍ程度が採用されるが、洗い場床部１３及び洗い場蓋１５の成形誤差により大きく変動することがある。この大きな変動に対処するには、隅部用固定具１７及び直線部用固定具１８は、厚み寸法Ｔ１の異なる種類のものを予め準備しておくか、又は厚み調整板（図示略）を貼着又は分離できるようにして厚み寸法Ｔ１を調整できるようにしておくとよい。
【００２２】
本発明床構造１１を得るための本発明床施工方法は、次の手順で行なわれる。
（第１工程）
図１（Ａ）（Ｂ）に示す如く、防水パン１2 の裏側に支持脚２４を取付け、施工床面Ｆ上に支持脚２４を介して防水パン１2 を設置する。洗い場床部１３の作業口１４及び浴槽設置床部１９の作業口２５，２５を利用して支持脚２４の高さ調整を行い、防水パン１2 のレベルを出す。
【００２３】
（第２工程）
防水パン１2 の洗い場床部１３の作業口１４を利用して防水パン１2 の裏側で必要な配管作業を行なうと共に、洗い場床部１３の壁パネル載置部１３ｊ及び浴槽設置床部１９の壁パネル載置部１９ｊに、壁パネル１６及びドア（図示略）を設置する。
【００２４】
（第３工程）
図１（Ａ）に示す如く、防水パン１2 の洗い場床部１３に洗い場蓋１５を載置し、防水パン1 ２の洗い場床部１３の二カ所の内隅部１３ｄ，１３ｅと洗い場蓋１５の対応する二カ所の外隅部１５ｄ，１５ｅの間の隅部隙間Ｇａ，Ｇａの各々に屈曲状の隅部用固定具１７を差し込む。二箇所の隅部隙間Ｇａ，Ｇａへの隅部用固定具１７，１７を差し込み作業は、両方の隅部用固定具１７，１７の打ち込みを複数回にわたって交互に行なうようにして、両方の隅部用固定具１７，１７の差し込み寸法が並行して徐々に大きくなるようにするとよい。この交互打ち込みにより、防水パン２の洗い場床部１３の二カ所の内隅部１３ｄ，１３ｅの間の一辺に沿う方向（図１（Ａ）に示す矢符Ｅ方向）及び他の二辺に沿う方向（同図に示す矢符Ｄ方向）についての洗い場蓋１5 の位置決めが良好に行なわれ、防水パン１２の洗い場床部１３の他の二辺の起立部１３ａ，１３ｂと洗い場蓋１５の対応する二辺の側縁部１５ａ，１５ｂの間の各々に厚み寸法Ｔ２が略等しい直線状の平部隙間Ｇｂが形成される。次に、これら直線状の平部隙間Ｇｂ，Ｇｂの各々に適宜本数の直線状の直線部用固定具１８を差し込んで（本例では、各平部隙間Ｇｂに一本の直線部用固定具１８を差し込んである。）、洗い場蓋１５における浴槽設置床部１９側の前後位置を変動しないように固定する。更に、防水パン１2 の洗い場床部１３の隆起部１３ｈ，１３ｈに対する洗い場蓋１５の隆起部１５ｇ，１５ｇのビス止め２９を必要に応じて行なう。
【００２５】
（第４工程）
図２（Ｂ）及び図３に示す如く、防水パン１2 の洗い場床部１３の三辺の起立部１３ａ，１３ｂ，１３ｃと洗い場蓋１５の側縁部１５ａ，１５ｂ，１５ｃの外側面の間の各隙間Ｇａ，Ｇｂにシリコン樹脂等のシール材２７を充填して止水を行なう。このとき、差し込まれている各固定具１７，１８をシール材２７で覆うことで、各固定具１７，１８を露出させることなく見栄えよく仕上げることができる。なお、隙間Ｇａ，Ｇｂの厚み寸法Ｔ２が大きいためにシール材２７が排水溝１３ｇへ落ち込むときには、図３に示す如く、固定具１７，１８を除く箇所に発泡樹脂等からなる充填物２８を予め差し込んでからシール作業を行なうとよい。シール作業は、図２（Ｂ）及び図３に示す如く、洗い場床部１３の壁パネル載置部１３ｊと壁パネル１６の隙間を同時にシール材２７で覆って止水するように行なうとよい。
【００２６】
前記本発明床施工方法で得た本発明床構造１１は、固定具１７，１８の差込みについて防水パン１２の洗い場床部１３の二カ所の内隅部１３ｄ，１３ｅと洗い場蓋１５の対応する二カ所の外隅部１５ｄ，１５ｅの間の各々に対する屈曲状の隅部用固定具１７の差込みを先行させることで、防水パン１２の二カ所の内隅部１３ｄ，１３ｅの間の一辺に沿う方向（矢符Ｅ方向）及び他の二辺に沿う方向（矢符Ｄ方向）についての洗い場蓋１５の位置決めがなされて、防水パン１２の洗い場床部１３の他の二辺の起立部１３ａ，１３ｂと洗い場蓋１５の対応する二辺の側縁部１５ａ，１５ｂの間の各々に所定厚みＴ２の直線状の平部隙間Ｇｂを形成するので、その後で直線部用固定具１８を直線状の平部隙間Ｇｂの各々へ円滑且つ確実に差し込むことができる。このように、本発明床構造１１は、固定具について先に差し込むことができる屈曲状の隅部用固定具１７と後で差し込むことができる直線状の直線部用固定具１８とに分割することで、防水パン２の所定位置に洗い場蓋１５を位置させつつ二種類の固定具１７，１８で固定できると共に、洗い場床部１３と洗い場蓋１５の隅部Ｇａに隅部用固定具１７を変形させることなく美麗に差し込むことができる。
【００２７】
（第２の実施の形態）
図５及び図６は本発明床構造の第２の実施の形態を示すものであり、本実施の形態に係る本発明床構造３１が前記第１の実施の形態に係る本発明床構造１１と大きく相違する点は、防水パン１２の洗い場床部１３の上面及び洗い場蓋１５の裏面に、凹部３２と凸部３３の一組又は複数組みを設け、各組みの凹部３２と凸部３３を嵌合させ、固定具１７，１８で固定する前における防水パン１２に対する洗い場蓋１５の暫定的な位置決めを容易にできるようにしたことである。この相違点以外の部分については、第１の実施の形態と実質的に同一であり、図５及び図６において図１乃至図４と同一符号は相当部分を示す。
【００２８】
本例の本発明床構造３１は、防水パン１２の洗い場床部１３の上面の三辺（前後右）寄りに平面コ字状の連続した凹溝からなる凹部３２と、洗い場蓋１５の裏面に平面コ字状の連続した凸条からなる凸部３３とを設け、洗い場床部１３の上面に洗い場蓋１５を載置するときに凹部３２と凸部３３を隙間バメ状態で嵌合させることで、防水パン１２の洗い場床部１３に対する洗い場蓋１５の暫定的な位置決めを行なって、洗い場床部１３の三辺の起立部１３ａ，１３ｂ，１３ｃと洗い場蓋１５の側縁部１５ａ，１５ｂ，１５ｃの外側面の間の各隙間Ｇａ，Ｇｂの厚み寸法Ｔ２を近似させることができるようになっている。
うにしてある。
【００２９】
凹凸関係は前記態様に限定されるものではなく、図示は省略したが、防水パン１２の洗い場床部１３の上面の三辺（前後右）寄りに平面コ字状の連続した凸条からなる凸部３３を設けると共に、洗い場蓋１５の裏面に平面コ字状の連続した凹溝からなる凹部３２を設けることも、また、点在させて複数組みの凸部３３及び凹部３２を設けることもある。
【００３０】
防水パン1 ２の洗い場床部１３の二カ所の内隅部１３ｄ，１３ｅと洗い場蓋１５の対応する二カ所の外隅部１５ｄ，１５ｅの間の隅部隙間Ｇａ，Ｇａの各々に差し込む屈曲状の隅部用固定具１７、及び洗い場床部１３の他の二辺の起立部１３ａ，１３ｂと洗い場蓋１５の対応する二辺の側縁部１５ａ，１５ｂの間の平部隙間Ｇｂの各々に差し込む直線状の直線部用固定具１８（図１（Ａ）（Ｃ）参照）は、凹部１７ａ，１８ａを洗い場蓋１５の側縁部１５ａ，１５ｂ，１５ｃに係合させて抜け出ないようにしてある。洗い場蓋１５は、覆い部１５ｆの裏面に支持用突起１５ｋを突設させ、洗い場床部１３に支持用突起１５ｋを支持させながら載置されるようにしてある。
【符号の説明】
【００３１】
１１（３１）…本発明床構造、１２…浴室用防水パン、１３…洗い場床部、１３ａ…起立部（前）、１３ｂ…起立部（後）、１３ｃ…起立部（右）、１３ｄ…内隅部（前右）、１３ｅ…内隅部（後右）、１３ｆ…床面部、１３ｇ…排水溝、１３ｈ…隆起部（左前後）、１３ｊ…壁パネル載置部、１４…作業口、１５…洗い場蓋、１５ａ…側縁部（前）、１５ｂ…側縁部（後）、１５ｃ…側縁部（右）、１５ｄ…外隅部（前右）、１５ｅ…外隅部（後右）、１５ｆ…覆い部、１５ｇ…隆起部、１５ｈ…側縁部、１５ｊ…横向き凹部、１６…壁パネル、１７…隅部用固定具、１７ａ…凹部、１７ｂ…傾斜面、１８…直線部用固定具、１８ａ…凹部、１８ｂ…傾斜面、１９…浴槽設置床部、１９ｊ…壁パネル載置部、２４…支持脚、２７…シール材、２８…充填物、２９…ビス止め、３２…凹部、３３…凸部、Ｇａ…隅部隙間、Ｇｂ…平部隙間、Ｔ２…隙間Ｇａ，Ｇｂの厚み寸法
【図１】
2011052499.tif 000003
【図２】
2011052499.tif 000004
【図３】
2011052499.tif 000005
【図４】
2011052499.tif 000006
【図５】
2011052499.tif 000007
【図６】
2011052499.tif 000008
【図７】
2011052499.tif 000009